(57)【要約】  患者支持装置が、患者を支持するための膨張可能なマットレスと、膨張可能なマットレスに空気を供給するための空気供給部とを有する。制御システムが、空気供給部及び膨張可能なマットレスを制御して、治療機能を提供する。コントロールシステムが、ユーザが治療機能のサブセットを利用可能となるよう構成可能である。治療機能のための制御を含む制御パネルが提供される。交換可能なベゼルが、制御パネルを覆っており、利用可能な治療機能に関する制御へのアクセスを提供し、利用可能でない治療機能に関する制御を見えなくする。【選択図】図２
2017522164.tif 000002
【特許請求の範囲】
【請求項１】
患者支持装置であって、
患者を支持するための膨張可能なマットレスと、
前記膨張可能なマットレスに結合された空気供給部であって、複数の治療機能を提供し、ユーザが利用可能な機能として前記複数の治療機能のサブセットが可能であるよう構成可能な空気供給部と、
前記空気供給部を作動させるよう配置された制御パネルであって、前記複数の治療機能のそれぞれに関する制御を有する制御パネルと、
前記制御パネルを覆うよう構成された交換可能なベゼルと、
を具えており、
前記ベゼルが、利用可能な前記治療機能のサブセットに関する制御へのアクセスを提供し、利用できない治療機能に関する制御を見えなくすることを特徴とする患者支持装置。
【請求項２】
請求項１に記載の患者支持装置において、
前記空気供給部が複数のモードで作動可能であり、
各モードが、前記複数の治療機能の１つのサブセットと相関することを特徴とする患者支持装置。
【請求項３】
請求項２に記載の患者支持装置において、
さらに、前記制御パネルが、制御システムの作動モードを選択するよう作動可能な専用のスイッチを具えることを特徴とする患者支持装置。
【請求項４】
請求項３に記載の患者支持装置において、
前記専用のスイッチがジャンパスイッチを具えることを特徴とする患者支持装置。
【請求項５】
請求項２に記載の患者支持装置において、
作動モードが前記制御パネルの作動を通して選択されることを特徴とする患者支持装置。
【請求項６】
請求項１に記載の患者支持装置において、
前記制御パネルがメンブレンスイッチパネルを具えることを特徴とする患者支持装置。
【請求項７】
請求項１又は２に記載の患者支持装置において、
さらに、前記制御パネルが、制御システムの作動モードを選択するよう作動可能な専用のスイッチを具えることを特徴とする患者支持装置。
【請求項８】
請求項７に記載の患者支持装置において、
前記専用のスイッチがジャンパスイッチを具えることを特徴とする患者支持装置。
【請求項９】
請求項１又は２に記載の患者支持装置において、
作動モードが、前記制御パネルの作動を通して選択されることを特徴とする患者支持装置。
【請求項１０】
請求項１乃至９のいずれか一項に記載の患者支持装置において、
前記制御パネルがメンブレンスイッチパネルを具えることを特徴とする患者支持装置。
【請求項１１】
空気の供給によって動く膨張可能なマットレスを有する患者支持装置のための制御システムであって、
空気供給部の作動を制御して治療機能を提供するよう作動可能な制御パネルであって、前記治療機能を制御するためのスイッチを有する制御パネルと、
前記制御パネルを覆うための交換可能なベゼルと、
を具えており、
前記ベゼルが、利用できない治療機能を作動させるためのスイッチを見えなくすることを特徴とする制御システム。
【請求項１２】
請求項１１に記載の制御システムにおいて、
前記空気供給部が、複数のモードで作動するよう構成可能であり、
各モードが、複数の前記治療機能のサブセットを提供することを特徴とする制御システム。
【請求項１３】
請求項１２に記載の患者支持装置において、
さらに、前記制御パネルが、前記空気供給部の作動モードを選択するよう作動可能な専用のスイッチを具えることを特徴とする患者支持装置。
【請求項１４】
請求項１３に記載の患者支持装置において、
前記専用のスイッチがジャンパスイッチを具えることを特徴とする患者支持装置。
【請求項１５】
請求項１２に記載の患者支持装置において、
作動モードが、ソフトウェア、又はハードウェア、又は前記ソフトウェア及び前記ハードウェア双方の動作によって自動的に検出されることを特徴とする患者支持装置。
【請求項１６】
請求項１２に記載の患者支持装置において、
作動モードが、前記制御パネルの作動を通して選択されることを特徴とする患者支持装置。
【請求項１７】
請求項１１又は１２に記載の患者支持装置において、
さらに、前記制御パネルが、前記空気供給部の作動モードを選択するよう作動可能な専用のスイッチを具えることを特徴とする患者支持装置。
【請求項１８】
請求項１７に記載の患者支持装置において、
前記専用のスイッチがジャンパスイッチを具えることを特徴とする患者支持装置。
【請求項１９】
請求項１１乃至１９のいずれか一項に記載の患者支持装置において、
作動モードが、ソフトウェア、ハードウェア、又は前記ソフトウェア及び前記ハードウェア双方の動作によって自動的に検出されることを特徴とする患者支持装置。
【請求項２０】
請求項１１乃至１９のいずれか一項に記載の患者支持装置において、
作動モードが、前記制御パネルの作動を通して選択されることを特徴とする患者支持装置。
【請求項２１】
患者支持装置を作動させて複数の治療機能を提供する制御パネルを具える患者支持装置を作動させる方法であって、当該方法が、
一連の前記複数の治療機能を選択的に有効にして、選択された前記一連の治療機能を前記制御パネルを介して利用可能にするステップと、
前記選択された一連の複数の治療機能に対応するベゼルで前記制御パネルを覆うステップと、
を有することを特徴とする方法。
【請求項２２】
請求項２１に記載の方法において、
前記一連の複数の治療機能を選択的に有効にすることが、前記制御パネルを作動させて作動モードを選択することを具えることを特徴とする方法。
【請求項２３】
患者支持装置であって、
患者を支持するための膨張可能なマットレスと、
前記膨張可能なマットレスに結合された空気供給部であって、複数の治療機能を提供し、ユーザが利用可能な機能として前記複数の治療機能のサブセットが可能であるよう構成可能な空気供給部と、
前記空気供給部を作動させるよう配置された制御パネルであって、前記複数の治療機能のそれぞれに関する制御を有し、前記空気供給部が複数のモードで作動するよう構成可能であり、前記空気供給部の作動モードが前記制御パネルの作動を通して選択され、各モードが前記複数の治療機能のサブセットを提供する、制御パネルと、
一連の交換可能なベゼルと、
を具えており、
各ベゼルが、前記制御パネルを覆うよう構成されており、前記複数のモードのうちの１つと対応し、各ベゼルが、対応するモードの使用可能な治療機能のサブセットに関する制御へのアクセスを提供し、前記対応するモードの使用不能な治療機能に関する制御を見えなくすることを特徴とする患者支持装置。
【請求項２４】
請求項２３に記載の患者支持装置において、
前記複数のモードが、低機能モード、中間機能モード及び高機能モードを有しており、
前記高機能モードが、中間機能モードよりも、より使用可能な治療機能を有しており、
前記中間機能モードが、低機能モードよりも、より使用可能な治療機能を有しており、
前記低機能モードが、前記中間機能モードよりも、より使用不能な治療機能を有しており、
前記中間機能モードが、前記高機能モードよりも、より使用不能な治療機能を有しており、
前記一連の交換可能なベゼルが、低機能ベゼル、中間機能ベゼル及び高機能ベゼルを有しており、
前記低機能モードが選択されたときに、前記低機能ベゼルが前記制御パネルを覆い、
前記中間機能モードが選択されたときに、前記中間機能ベゼルが前記制御パネルを覆い、
前記高機能モードが選択されたときに、前記高機能ベゼルが前記制御パネルを覆うことを特徴とする患者支持装置。
【発明の詳細な説明】
【技術分野】
【０００１】
本出願は、２０１４年７月２５日に出願され、一般に治療用マットレスシステムに関し参照することによりここに盛り込まれた米国仮特許出願第６２／０２９，１７５号の優先権の利益を主張する。
【０００２】
本出願は、一般に、治療用マットレスシステムに関し、特に、治療用マットレスシステムを制御するための方法及びシステムに関する。
【背景技術】
【０００３】
能動的治療用マットレスシステムが、患者の治療、サポート及び快適さのために使用されている。典型的に、このようなマットレスは、膨張可能な嚢を選択的に膨張させて、回転、傾斜、ローエアロス治療、脈動治療、衝撃治療及び他の力学的治療といった様々な治療処置を提供する空気供給部を有する。
【０００４】
能動的治療用マットレスシステムは、多くの場合、短期間の使用のために必要とされ、病院は、多くの場合、専門の提供者からこのようなシステムを借りる。このようなレンタル提供者は、一群の多くのタイプの様々なシステムを保持して、様々な患者のために様々な治療を提供する。しかしながら、非常に特殊な様々な製品の在庫品を保持することは、コストがかかり非効率である。このため、より効率的な能動的治療用マットレスシステムの必要性がある。
【発明の概要】
【０００５】
ある実施例では、患者支持装置が、患者を支持するための膨張可能なマットレスと、膨張可能なマットレスに結合された空気供給部とを具えている。空気供給部は、複数の治療機能を提供し、複数の治療機能のサブセットをユーザが利用可能になるよう構成可能である。空気供給部を作動させるための制御パネルは、複数の治療機能のそれぞれに関する制御を含んでいる。交換可能なベゼルが、制御パネルを覆っており、利用可能な治療機能のサブセットに関する制御へのアクセスを提供し、利用できない治療機能に関する制御を見えなくする。
【０００６】
空気供給部が１又はそれ以上のモードで作動可能であり、各モードが複数の治療機能の１つのサブセットと相関する。
【０００７】
制御パネルが、制御システムの作動モードを選択するための専用のスイッチを具える。専用のスイッチがジャンパスイッチを具える。
【０００８】
作動モードが制御パネルの作動を通して選択される。制御パネルがメンブレンスイッチパネルを具える。
【０００９】
ある実施例では、空気の供給によって動く膨張可能なマットレスを有する患者支持装置の制御システムが、空気供給部の作動を制御して治療機能を提供するための制御パネルを具える。制御パネルは、治療機能を制御するためのスイッチと、制御パネルを覆うための交換可能なベゼルとを有する。ベゼルは、利用可能でない治療機能を作動させるためのスイッチを見えなくする。
【００１０】
空気供給部は、複数のモードで作動するよう構成可能であり、各モードが複数の治療機能のサブセットを提供する。
【００１１】
制御パネルが、空気供給部の作動モードを選択するための専用のスイッチを具える。専用のスイッチがジャンパスイッチを具える。
【００１２】
作動モードが制御パネルの作動を通して選択される。作動モードが、ソフトウェア及び／又はハードウェアによって自動的に選択される。
【００１３】
ある実施例では、患者支持装置を作動させる方法が、患者支持装置を作動させるための制御パネルを提供して複数の治療機能を提供すること、一連の複数の治療機能を選択して利用可能にすること、選択された一連の複数の治療機能に対応するベゼルで制御パネルを覆うこと、を具える。選択するステップは、制御パネルを作動させて作動モードを選択することを具える。
【００１４】
本開示における「結合された」という語句は、必ずしも直接的ではないが、連結されているとして規定される。「１つの」及び「１つの」という語句は、本開示がそれ以外を明示的に要さない限り、１又はそれ以上として規定される。
【００１５】
「実質的」、「およそ」及び「約」という語句は、当業者によって理解されるように、必ずしも特定されるもの全体ではないが（そして、特定されるものを含むが；例えば、実質的に９０度は９０度を含み、実質的に平行は平行を含む）、概して特定されるものとして規定される。開示されたいずれかの実施例において、「実質的」、「およそ」及び「約」という語句は、特定の何かの「（パーセンテージ）の範囲内」に代えてもよく、パーセンテージは、０．１，１，５，及び１０パーセントを含む。
【００１６】
「具える」（及び「具える」及び「具えている」といった、具えるという形式の）、「有する」（及び「有する」及び「有している」といった、有するという形式の）、「含む」（及び「含む」及び「含んでいる」といった、含むという形式の）及び「包含する」（及び「包含する」及び「包含している」といった包含するという形式の）語句は、非限定的な連結動詞である。結果として、１又はそれ以上の要素又は態様を「具え」、「有し」、「含み」又は「包含する」システム、又はシステムの構成要素は、それらの１又はそれ以上の要素又は態様を持つが、それらの要素又は態様のみを持つことに限定されない。同様に、１又はそれ以上のステップを「具え」、「有し」、「含み」又は「包含する」方法は、それらの１又はそれ以上のステップを持つが、それらの１又はそれ以上のステップのみを持つことに限定されない。追加的に、「第１の」及び「第２の」といった語句は、構造又は態様を区別するためのみに使用されるが、特定の順番に様々な構造又は態様を限定するものではない。
【００１７】
特定の方法で構成される装置、システム、又はいずれかの構成要素は、少なくともそのような方法で構成されているが、明確に記載された以外の他の方法で構成することも可能である。
【００１８】
本システム及び方法のいずれかの実施例は、記載された要素、態様、及び／又はステップのいずれかから成り得るか又は基本的に成り得るが、それらを具え／含み／包含し／有するものではない。したがって、いずれかの請求項において、「から成る」、「基本的にから成る」という語句は、そうでなければ非限定的な連結動詞を使用するものから所定の請求項の範囲を変更するために、上記の非限定的な連結動詞のいずれかに代え得る。
【００１９】
本開示又は実施例の性質によって明示的に禁じられていない限り、一実施例の態様又は複数の態様を、記載又は図示されていないが、他の実施例に適用し得る。
【００２０】
上記の実施例に関する詳細及びそれ以外のものが、以下に示される。
【図面の簡単な説明】
【００２１】
【図１】図１は、空気供給システムを備えた患者支持システムの実施例の斜視図である。
【図２】図２は、全機能を提供するベゼルを備えた患者支持システムの足側端部に隣接する空気供給システムの実施例の斜視図である。
【図３】図３は、図２に示すベゼルよりも低い機能を提供するベゼルを備えた患者支持システムの足側端部に隣接する空気供給システムの実施例の斜視図である。
【図４】図４は、図２及び図３に示すベゼルよりも低い機能を提供するベゼルを備えた患者支持システムの足側端部に隣接する空気供給システムの実施例の斜視図である。
【図５】図５は、全機能を提供するベゼルの正面図である。
【図６】図６は、図５に示すベゼルよりも低い機能を提供するベゼルの正面図である。
【図７】図７は、図５及び図６に示すベゼルよりも低い機能を提供するベゼルの正面図である。
【発明を実施するための形態】
【００２２】
以下の詳細な説明において、典型的であるが非限定的で且つ包括的ではないものを示す添付図面について説明する。これらの実施例は、当業者が本開示の対応する原理を実施し得るよう、十分に詳細に記載されており、本開示の精神又は範囲から逸脱せずに、他の実施例を使用し、他の変更を行い得ることは、理解されよう。したがって、以下の詳細な説明は、限定的な意味にとるべきではなく、１又はそれ以上の発明の範囲は、添付の特許請求の範囲のみによって規定される。添付図面において、同様な参照番号は、それ以外を特定するものではない限り、様々な図面を通して同じパーツに言及するものである。
【００２３】
図１乃至７に示す実施例を参照して、患者支持システム１００が、膨張可能なマットレス１１０、フレーム１２０、空気供給システム１３０、空気供給システム１３０に取り外し可能に結合されるよう構成された結合架台１４０を具える。空気供給システム１３０にマットレス１１０を結合するための結合架台もまた提供される。空気供給システム１３０は、膨張可能なマットレス１１０に空気を提供するよう構成される。適切な空気供給システムに関するさらなる詳細が、「Patient support system with modular integrated fluid supply system」と題され、全体として参照することによりここに盛り込まれた特許出願公開２０１１／０１３１７２５に開示されている。
【００２４】
空気供給システム１３０は、制御パネル１６０を有するハウジング１５０を具える。制御パネル１６０はコントローラに結合されており、ユーザは空気供給システム１３０を制御して膨張可能なマットレスに位置する患者に様々な治療機能を提供できる。このような治療機能は、位置決め、回転、傾斜、ローエアロス治療、脈動治療、衝撃治療及び他の力学的治療を含む。また、コントローラは、患者の快適さのための調節を与える患者の位置決め機能、シートの収縮、マットレスの堅さ、移送モード等といった他の一般的態様を提供する。ここで使用されているように、「治療機能」という用語は、コントローラによって提供される機能を有する。コントローラは、制御パネル１６０と一体化（例えば、同じプリント回路基板）しており、大きさ及びコストを最小限にする。
【００２５】
ある実施例では、空気供給システム１３０が、特定のレベルの機能を提供するのに必要な構成要素のみを含んでいる。例えば、回転及び位置決めといった基本的機能のみが望まれる場合、これらの機能に関連する構成要素のみが含まれる。衝撃治療といった、より先進的治療である他のものに関連する構成要素は、省略される。ある実施例では、利用可能な全ての治療に関する構成要素が、以下で詳細に説明するようにそれらの機能へのアクセスは選択的に制御されるが、組み込まれる。
【００２６】
制御パネル１６０は、空気供給システム１３０によって提供される様々な機能を作動させるためのユーザが操作可能な複数のスイッチを具える。ユーザが操作可能なスイッチは、メンブレンスイッチとし得る。制御パネル１６０は、交換可能なベゼル１７０を有する。交換可能なベゼル１７０は、取り外し可能な留め具によって制御パネルに結合されている。一実施例では、ベゼル１７０は、ハウジング１５０及び／又は制御パネル１６０の穴の中に挿入されるリブ付きの多数の支柱を有する。これにより、容易な組み込み、取り外し、及び同じパーツの多重使用が可能となる。
【００２７】
複数の交換可能なベゼル１７０が提供される。例えば、図５、６及び７は、全機能を搭載したベゼル、中程度の機能を搭載したベゼル、及び低機能を搭載したベゼルをそれぞれ示している。これらのベゼルの表示は、いずれの機能が利用可能であり、利用可能でない機能に関するスイッチへのアクセスのブロックを示している。
【００２８】
ある実施例では、制御パネル１６０は、空気供給部１３０によって提供される機能に関わらず同じである。例えば、空気供給部は、位置決め及び回転機能のみを提供でき、これにより、制御パネルの多くのスイッチ（例えば、衝撃治療のためのスイッチ）が不要となる。このケースでは、制御パネル１６０が、利用可能な機能のみを示すベゼル１７０（例えば、図７に示すベゼル）によって覆われる。いずれの機能が利用可能であるかを判断するためのスイッチを、制御パネル１６０に含めることができる。スイッチは製造時にセットでき、ジャンパスイッチ又は他の適切なスイッチとし得る。いずれの機能が利用可能であるかに関わらず１つの制御パネルを使用することで、多数の空気供給部のための１つのパーツを保持する、製造のため並びにサービス及び修理センターのための在庫管理を容易にする。ある実施例では、空気供給コントローラのソフトウェア及び／又はハードウェアが、利用可能な機能（例えば、組み込まれた構成要素）に関する情報を制御パネル１６０に送り、それにしたがって制御パネルがアクセス可能な機能を調整する。
【００２９】
ある実施例では、空気供給部１３０が、治療機能の全てを提供するのに必要な構成要素を含んでいるが、特定の機能の利用可能性を制限する複数の作動モードを有する。例えば、空気供給部１３０が、制限された機能（すなわち、低機能）を提供する第１の「Ａ」モード、より多くの機能（すなわち、中間機能）を提供する第２の「Ｂ」モード、全部の機能を提供する第３の「Ｃ」モードを有する。これらのモードは、製造時に予めセットされるか、又は製造後に更新及び修正される（すなわち、高機能）。モードは機械的スイッチによって選択される。代替的に、モードがキーパッドのキー順によって選択される。例えば、キー及び／又はキーの押し込みの特定の組み合わせが、コントローラを１つの作動モードにセットする一方、キー及びキーの押し込みの別の組み合わせが、コントローラを別の作動モードにセットする。交換可能なベゼル１７０は適切な機能に適合する。換言すれば、一実施例によれば、複数の交換可能なベゼル１７０が提供され、それぞれのベゼル１７０が異なる機能レベルに対応し、これにより、適切なベゼル１７０が現時点で選択された機能に適合するようにハウジング１５０に結合される。例えば、一実施例によれば、複数の交換可能なベゼル１７０が、低機能のベゼル（図７）、中間機能のベゼル（図６）及び高機能のベゼル（図５）を有しており、これらはハウジング１５０に交換可能に結合され、これにより、空気供給部１３０が低機能モードで作動するよう構成される場合に、低機能のベゼルがハウジング１５０に結合され、空気供給部１３０が中間機能モードで作動するよう構成される場合に、中間機能のベゼルがハウジング１５０に結合され、空気供給部１３０が高機能モードで作動するよう構成される場合に、高機能のベゼルがハウジング１５０に結合される。
【００３０】
複数の作動モードの提供は、ユニット群をレンタルする場合に有用である。レンタルの顧客は、（あまりコストのかからない）限定的な機能のみを有する空気供給システムを入手することを望むであろうが、レンタルの提供者は、高機能又は複数機能を備えて利用可能なユニットのみを有するであろう。レンタルの提供者は、顧客に低レベルの機能に限定されたユニットのサービスを提供し得る一方、顧客は、より複雑な（及びより高価な）治療にアクセスすることを防ぎ得る。代替的に、レンタルの提供者は、完全機能を備えた空気供給ユニットを仕入れることのみを選択し、顧客のニーズに基づいて作動モードを選択してもよく、レンタルされるユニット群の管理を容易にする。
【００３１】
上記の詳述及び例は、典型的な実施例の構成及び使用法の完全な説明を与えるものである。ある程度の特殊性を備えて、又は１又はそれ以上の個々の実施例を参照して、特定の実施例が上述されているが、当業者は、本発明の範囲から逸脱せずに、開示された実施例に対して多くの変更を成し得るであろう。このため、本デバイスの様々な実施形態は、開示された特定の形式に限定することを意図するものでない。むしろそれらは、特許請求の範囲に含まれる全ての変更及び代替を有しており、図示されたもの以外の実施例は、示された実施例の態様のいくつか又は全てを有している。例えば、構成要素は一体構造として結合することができ、及び／又は結合方法を換えることができる（例えば、ネジを圧入又は溶接に換え得る）。さらに、適切な場合には、上述の例のいくつかの態様を他の例のいくつかの態様と組み合わせて、同等な又は異なる特性を有し同様な又は異なる課題に対処し得る。同様に、上述の有益な点及び利点は一実施例に関し、又はいくつかの実施例に関するものであることが理解されよう。
【００３２】
特許請求の範囲の記載は、手段プラス機能の限定又はステッププラス機能の限定が、「ための手段」又は「ためのステップ」との語句をそれぞれ用いて所定の請求項に明示的に記載されていない限り、そのような限定を含むことを意図するものではなく、そのような限定を含むよう解釈すべきではない。
【図１】
2017522164.tif 000003
【図２】
2017522164.tif 000004
【図３】
2017522164.tif 000005
【図４】
2017522164.tif 000006
【図５】
2017522164.tif 000007
【図６】
2017522164.tif 000008
【図７】
2017522164.tif 000009
【手続補正書】
【提出日】平成28年2月25日(2016.2.25)
【手続補正１】
【補正対象書類名】図面
【補正対象項目名】全図
【補正方法】変更
【補正の内容】
【図１】
2017522164.tif 000010
【図２】
2017522164.tif 000011
【図３】
2017522164.tif 000012
【図４】
2017522164.tif 000013
【図５】
2017522164.tif 000014
【図６】
2017522164.tif 000015
【図７】
2017522164.tif 000016
【国際調査報告】
2017522164.tif 000017
2017522164.tif 000018